(57)【要約】【課題】接着テープ２をテープカッター３で切断することによって切断したテープの先端に剥離を容易になし得るように剥離タブ２１を自動的に形成できるようにする。【解決手段】テープカッター３をテープホルダー１の起立部１４に装着して，押えローラー３１３と起立部１４の摺接面１４１から可動カッター部３２側に繰出した接着テープ２を，切断刃３２１を有する可動カッター部３２を離隔回動してその仮着受部３２２に仮接着した状態で切断し該可動カッター部３２をバネ３４によって復帰回動することにより，上記摺接面１４１と仮着受部３２２間で先端ループ２１１を形成して，該先端ループ２１１を摘んで以後の切断を行なうことによって剥離タブ２１を形成する。【選択図】        図４
2004284687.tif 000002
【特許請求の範囲】
【請求項１】
テープ接着面側の摺接面とテープ非接着面側の押えローラーとによって繰出した接着テープを上下に挟持する定位置設置の固定挟持部と，該固定挟持部に対して首振り状の離隔回動と復帰近接を行うように首振り回動自在とし且つ復帰近接方向に向けて付勢して配置するとともに上端の前後に接着テープの切断刃及びテープ接着面側の仮着受部とを並置した可動カッター部とを備え，上記固定挟持部の摺接面と可動カッター部の仮着受部間でその首振り回動幅に応じて繰出した接着テープの先端部に剥離タブ形成用の先端ループを形成自在としてなることを特徴とする剥離タブ形成用のテープカッター。
【請求項２】
上記固定挟持部の接着テープ側位置にテープ接着面側の送りローラーを備えてなることを特徴とする請求項１に記載の剥離タブ形成用のテープカッター。
【請求項３】
上記可動カッター部の固定挟持部に対する首振り回動幅を規制する回動規制装置を備えてなることを特徴とする請求項１又は２に記載の剥離タブ形成用のテープカッター。
【請求項４】
上記可動カッター部の首振り回動を解除自在にロックするロック装置を備えてなることを特徴とする請求項１，２又は３に記載の剥離タブ形成用のテープカッター。
【請求項５】
上記可動カッター部の仮着受部近傍でテープ接着面側に剥離タブ位置を表示するマーキングを付与自在とし又はラベルを供給自在としてなることを特徴とする請求項１，２，３又は４に記載の剥離タブ形成用のテープカッター。
【請求項６】
テープホルダーにおけるテープ切断位置の起立部に装着して使用する後付用のテープカッターであって，上記起立部の前面に起立するように装着自在としたカッター基部と，該カッター基部又はそのブラケットに回転自在に軸支することによって上記起立部両側面後方位置において該起立部上面におけるテープ接着面側の摺接面とともにテープホルダー本体のテープ装着部に設置のロールから繰出した接着テープを上下に挟持するようにテープ切断位置の固定挟持部を形成する押えローラーと，上記カッター基部の下方に回転自在に軸支することによって上記固定挟持部に対して首振り状の離隔回動と復帰近接を行うように首振り回動自在とし且つカッター基部又はそのブラケットとの間に介設したバネによって復帰近接方向に向けて付勢するとともに上端の前後に接着テープの切断刃及びテープ接着面側の仮着受部とを並置した可動カッター部とを備え，上記テープホルダー本体の摺接面と起倒カッター部の仮着受部間でその首振り回動幅に応じて繰出した接着テープの先端部に剥離タブ形成用の先端ループを形成自在としてなることを特徴とする剥離タブ形成用のテープカッター。
【請求項７】
上記カッター基部又はそのブラケットにテープ接着面側の送りローラーを回動自在に軸支して設置するとともに該送りローラーの支軸に一対のローラーブラケットを回動自在に軸支し且つ該ローラーブラケットに上記押えローラーを回転自在に軸支することによって該押えローラーを起立部の摺接面に対して回動自在に配置してなることを特徴とする請求項６に記載の剥離タブ形成用のテープカッター。
【発明の詳細な説明】
【０００１】
【発明が属する技術分野】
本発明はセロファンテープ等のテープカッターに関し，特に剥離タブ形成用のテープカッターに関する。
【０００２】
【従来の技術】
この種テープカッターは，例えば机上設置用のものに見られるように，一般にホルダー本体におけるテープ切断位置の起立部上面にテープ摺接面を配置するとともにその前端側にテープ切断刃を配置したものとされ，ホルダー本体の起立部とテープ装着部間の空隙に指を挿入し，ホルダー本体のテープ装着部に設置のロールから繰出した接着テープを摘み，テープ摺接面に摺接するように引き出し先端を下方に引き下げることによってテープ切断刃により引き出し長さ分を切断してその使用を行なうようにしたものとされる。
【０００３】
【発明が解決しようとする課題】
しかしこの場合，切断して使用するテープはその裏面に接着剤（本発明においては粘着剤を含む意味に使用する）が塗布されていることによって，テープ周縁を含めてその全面が対象物に密着する結果，テープを剥離することが困難となることが多く，例えば惣菜，弁当等の食品容器における蓋固定用セロファンテープやダンボール箱梱包用紙テープ等を剥離する際に一般にも経験するところである。
【０００４】
更にセロファンテープや透明ビニールテープ等のようにそれ自体透明のテープはその目立ちがないために多用される傾向があるが，一方で剥離を行なうためにテープ端部を探してもこれを発見することができないことも多く，特に高齢者や弱視者等にとってこれらテープの剥離を前提とするものは困難を強いる結果となっている。
【０００５】
本発明は係る事情に鑑みてなされたもので，その解決課題とするところは，第１にテープを切断することによって剥離位置をなす剥離タブが自動的に形成されるようにしたテープカッターを提供するにあり，第２に自動的に形成した剥離タブの位置が判明し易いようにしたテープカッターを提供するにある。
【０００６】
【課題を解決するための手段】
上記第１の課題に添って本発明は，定位置設置の固定挟持部とこれに対して離隔回動と復帰近接するように首振り回動自在とした可動カッター部とを備え，テープの切断を可動カッター部が固定挟持部から離隔回動した状態で行なう一方，切断後に該可動カッター部を固定挟持部に復帰近接するようにすることによって，固定挟持部から離隔回動した可動カッター部までの長さに繰出したテープを，可動カッター部を復帰近接することによりこれらの間でループをなすようにし，以後順次このループの部分を摘んでテープを切断するようにすれば，該ループの部分が接着して切断するテープの先端部に剥離用のタブを形成し得るようにしたものであって，即ち請求項１に記載の発明を，テープ接着面側の摺接面とテープ非接着面側の押えローラーとによって繰出した接着テープを上下に挟持する定位置設置の固定挟持部と，該固定挟持部に対して首振り状の離隔回動と復帰近接を行うように首振り回動自在とし且つ復帰近接方向に向けて付勢して配置するとともに上端の前後に接着テープの切断刃及びテープ接着面側の仮着受部とを並置した起倒カッター部とを備え，上記固定挟持部の摺接面と起倒カッター部の仮着受部間でその首振り回動幅に応じて繰出した接着テープの先端部に剥離タブ形成用の先端ループを形成自在としてなることを特徴とする剥離タブ形成用のテープカッターとしたものである。
【０００７】
請求項２に記載の発明は，上記に加えて，上記固定挟持部に対してテープをスムーズに送り込むようにすることによってテープに生じることある捩れ等のトラブルを解消してテープの安定した繰出しと切断とをなし得るものとするように，これを，上記固定挟持部の接着テープ側位置にテープ接着面側の送りローラーを備えてなることを特徴とする請求項１に記載の剥離タブ形成用のテープカッターとしたものである。
【０００８】
請求項３に記載の発明は，同じく上記に加えて，固定挟持部に対する可動カッター部の回動範囲を規制して剥離タブ形成に適した先端ループを形成可能とするように，これを，上記可動カッター部の固定挟持部に対する首振り回動幅を規制する回動規制装置を備えてなることを特徴とする請求項１又は２に記載の剥離タブ形成用のテープカッターとしたものである。
【０００９】
請求項４に記載の発明は，同じく上記に加えて，必要に応じて剥離タブを不形成のテープ切断を選択的になし得るものとするように，これを，上記起倒カッター部の首振り回動を解除自在にロックするロック装置を備えてなることを特徴とする請求項１，２又は３に記載の剥離タブ形成用のテープカッターとしたものである。
【００１０】
請求項５に記載の発明は，上記第２の課題に添って，剥離タブの部分に文字，図形等の剥離位置を示すマーキング又はラベルを付することによって剥離タブの存在と位置の見分けを容易化し得るものとするように，上記可動カッター部の仮着受部近傍でテープ接着面側に剥離タブ位置を表示するマーキングを付与自在とし又はラベルを供給自在としてなることを特徴とする請求項１，２，３又は４に記載の剥離タブ形成用のテープカッターとしたものである。
【００１１】
請求項６に記載の発明は，上記第１の課題に添い請求項１の構成を備えるとともに既存のテープホルダー（テープカッターといわれることもある）に装着使用する後付用のものとするように，これを，テープホルダーにおけるテープ切断位置の起立部に装着して使用する後付用のテープカッターであって，上記起立部の前面に起立するように装着自在としたカッター基部と，該カッター基部又はそのブラケットに回転自在に軸支することによって上記起立部両側面後方位置において該起立部上面におけるテープ接着面側の摺接面とともにテープホルダー本体のテープ装着部に設置のロールから繰出した接着テープを上下に挟持するようにテープ切断位置の固定挟持部を形成する押えローラーと，上記カッター基部の下方に回転自在に軸支することによって上記固定挟持部に対して首振り状の離隔回動と復帰近接を行うように首振り回動自在とし且つカッター基部又はそのブラケットとの間に介設したバネによって復帰近接方向に向けて付勢するとともに上端の前後に接着テープの切断刃及びテープ接着面側の仮着受部とを並置した起倒カッター部とを備え，上記テープホルダー本体の摺接面と起倒カッター部の仮着受部間でその首振り回動幅に応じて繰出した接着テープの先端部に剥離タブ形成用の先端ループを形成自在としてなることを特徴とする剥離タブ形成用のテープカッターとしたものである。
【００１２】
請求項７に記載の発明は，上記に加えて，簡易な構造によって，上記固定挟持部に対してテープをスムーズに送り込むように送りローラーを設置するとともにこれを用いて上記押えローラーをホルダー本体の摺接面に開閉するように回動自在とすることによってテープ装着時のテープ先端の挟持を容易化するように，これを，上記カッター基部又はそのブラケットにテープ接着面側の送りローラーを回動自在に軸支して設置するとともに該送りローラーの支軸に一対のローラーブラケットを回動自在に軸支し且つ該ローラーブラケットに上記押えローラーを回転自在に軸支することによって該押えローラーを起立部の摺接面に対して回動自在に配置してなることを特徴とする請求項６に記載の剥離タブ形成用のテープカッターとしたものである。
【００１３】
本発明はこれらをそれぞれ発明の要旨として上記課題解決の手段としたものである。
【００１４】
なお本発明において接着面，非接着面の接着は，接着剤による接着の他，粘着剤による粘着を含む意味に用い，また接着テープは，上記接着剤を裏面に備えたテープの他に，粘着剤を裏面に備えたテープを含む意味に用いる。
【００１５】
【発明の実施の形態】
以下図面の例に従って本発明を更に具体的に説明すれば，図１乃至図５において３はテープカッターであり，該テープカッター３は，テープ接着面側の摺接面１４１とテープ非接着面側の押えローラー３１３とによってロールから繰出した接着テープ２を上下に挟持する定位置設置の固定挟持部３１７と，該固定挟持部３１７に対して首振り状の離隔回動と復帰近接を行うように首振り回動自在とし且つ復帰近接方向に向けて付勢して配置するとともに上端の前後に接着テープ２の切断刃３２１及びテープ接着面側の仮着受部３２２とを並置した可動カッター部３２とを備え，上記固定挟持部３１７の摺接面１４１と可動カッター部３２の仮着受部３２２間でその首振り回動幅に応じて繰出した接着テープ２の先端部に剥離タブ２１形成用の先端ループ２１１を形成自在としたものとしてある。
【００１６】
本例にあって上記テープカッター３は，これをテープホルダー１におけるテープ切断位置の起立部１４に装着して使用する後付用のものとしてあり，このとき該テープカッター３は，上記起立部１４の前面に起立するように装着自在としたカッター基部３１を備え，上記押えローラー３１３を該カッター基部３１又はそのブラケット３１１に回転自在に軸支することによって上記起立部１４両側面後方位置において該起立部１４上面におけるテープ接着面側の摺接面１４１とともにテープホルダー本体１１のテープ装着部１２に設置のロールから繰出した接着テープ２を上下に挟持するようにテープ切断位置の固定挟持部３１７を形成するものとし，また上記上端の前後に接着テープ２の切断刃３２１及びテープ接着面側の仮着受部３２２とを並置した可動カッター部３２を，上記カッター基部３１の下方に回転自在に軸支することによって上記固定挟持部３１７に対して首振り状の離隔回動と復帰近接を行うように首振り回動自在とし且つカッター基部３１又はそのブラケット３１１との間に介設したバネ３４によって復帰近接方向に向けて付勢したものとしてあり，これによって上記剥離タブ形成用の先端ループ２１１を，上記テープホルダー本体１１の摺接面１４１と可動カッター部３２の仮着受部３２２間でその首振り回動幅に応じて繰出した接着テープ２の先端部に形成自在としたものとしてある。
【００１７】
このとき本例のテープカッター３は，上記固定挟持部３１７の接着テープ２側位置にテープ接着面側の送りローラー３１５を備えたものとし，該テープ接着面側の送りローラー３１４は，これを上記カッター基部３１又はそのブラケット３１１に回動自在に軸支して設置するとともに該送りローラー３１５の支軸に一対のローラーブラケット３１４を回動自在に軸支し且つ該ローラーブラケット３１４に上記押えローラー３１３を回転自在に軸支することによって該押えローラー３１３を起立部１４の摺接面１４１に対して回動自在に配置したものとしてあり，また本例のテープカッター３は，上記可動カッター部３２の固定挟持部３１７に対する首振り回動幅を規制する回動規制装置３３を備えたものとしてある。
【００１８】
即ち本例にあってテープホルダー３は，接着テープ２のロールを装着するテープ装着部１２，これに隣接するテープ取出用の凹陥部１３及び該凹陥部１３の前方にしてテープ切断位置に上向きに起立突出するように配置した切断刃を除去した起立部１４を有して一体成型して内部に重量物を充填したホルダー本体１１と，上記テープ装着部１２に着脱自在に軸支して接着テープ２を支持する径大のリール１５とを備えた市販のものを使用し，該ホルダー本体１１の上記切断刃を除去した起立部１４にテープカッター３を後付装着することによって該市販のテープホルダー１に剥離タブ２１形成用の先端ループ２１１を形成自在とするようにしたものとしてある。
【００１９】
本例にあってテープカッター３は，樹脂，ステンレス，アルミ等の金属或いはこれらの複合材料によって形成したものとしてあり，カッター基部３１は，起立部１４の，例えば垂直面をなす前面に面接するようにプレート状としてあり，本例にあって該カッター基部３１にはその両側に起立部１４の側面に添って折曲し上記凹陥部１３上方位置に向けて傾斜突出したブラケット３１１を一体に備えたものとし，本例にあってはカッター基部３１乃至ブラケット３１１，特にブラケット３１１に起立部１４の両側面に対して突没する固定ネジ３１２を螺装し，該固定ネジ３１２先端を起立部１４の両側面に強圧状に圧接することによって，該カッター基部３１を起立部１４に締着固定するようにしてある。
【００２０】
本例のブラケット３１１には，その上端に支軸を配置し，該支軸に，例えば断面平歯車状をなすことによってテープの密着を防止しテープ繰出しの抵抗を可及的に減少するようにした上記送りローラー３１５を設置する一方，該送りローラー３１５の支軸に更に一対のブラケット，即ちローラーブラケット３１４を回転自在に装着し，該ローラーブラケット３１４に支軸を架設して上記押えローラー３１３を軸支してこれを起立部１４の摺接面１４１に対して離接自在に回動し得るようにしてあり，これによりテープ装着部１２に装着したロールからの接着テープ２を送りローラー３１５が順次下支え支持して固定挟持部３１７側にスムーズに送るようにし，また固定挟持部３１７では押えローラー３１３を持ち上げるように回動することによって繰出した接着テープ２を容易に挟持し得るようにするとともに押えローラー３１３の自重によってこれが摺接面１４１に載置されることによって固定挟持部３１７における該接着テープ２の挟持を安定且つ確実に行い得るようにしてある。本例にあっては更に押えローラー３１３の前方に接着テープ２の高さ位置を調整する接着面側の調整ローラー３１６を配置し，上記接着テープ２の送り出しを安定するとともに先端ループ２１１の形成を更に容易且つ確実になし得るようし，該調整ローラー３１６を含めて上記固定挟持部３１７を構成してあり，このとき本例にあって該調整ローラー３１６は，これを起立部１４の上端前方に設置した接着テープ２の下支え用のものとしてある。
【００２１】
可動カッター部３２は，例えばカッター基部３１と同程度のプレート状として該カッター基部３１の前面にこれと重合するように設置し，上端前方に接着テープ２の切断刃３２１を，上端後方（即ち固定挟持部３１７側）に接着テープ２の仮着受部３２２を，例えば起立部１４の摺接面１４１に対して数ｍｍ乃至それ以下の高さによる僅少の段差を形成するように設置したものとしてあり，このとき切断刃３２１は鋸目状の凹凸を付したものを可動カッター３２上端前面に固着し，また仮着受部３２２はテープ接着面が仮接着し易いように接着テープ２の引き出し方向に沿って上面を傾斜した可動カッター部３２の肉厚に応じた，例えば１ｍｍ程度幅の切断端縁によるものとしてあり，このとき該仮着受部３２２は可動カッター部３２の上端をＬ字状に屈曲するとともにやや起立部１４の摺接面１４１側に傾斜することによって上面の端縁が該傾斜角度に従って傾斜するようにしたものとしてある。
【００２２】
可動カッター部３２のカッター基部３１下方に対する軸支は，本例にあってカッター基部３１の下端乃至下端近傍に前方に向けた軸受部を突出し，該軸受部に支軸を架設し，該支軸に同じく可動カッター部３２に後方に向けて突出した軸受部を回動自在に軸支することによって行ってある。
【００２３】
可動カッター部３２の首振り回動幅を規制する回動規制装置３３は，本例にあって安定した首振り回動の確保を兼ねるように可動カッター部のガイド装置兼用のものとするように，カッター基部３２又はそのブラケット３２１に下端を回動自在に軸支した先端にストッパー３３３を有するガイドバー３３１と，可動カッター部３２の側方に突出して該ガイドバー３３１にスライド自在に係合するスライダー３３４とを備えて構成したものとしてあり，これによって可動カッター部３２の首振り回動時にスライダー３３４がガイドバー３３１に案内されて移動することにより安定した首振り回動を行なうとともにストッパー３３３位置に至って該可動カッター部３２の回動を停止してその回動範囲を規制するようにしたものとしてあり，これによって可動カッター部３２の回動範囲が大きくなりすぎることによって接着テープ２の繰出し長さが長くなるのを防止し，該繰出し長さを剥離タブ２１用のループ２１１を形成するに適当な長さ，例えば２±０．５ｃｍ程度の長さを確保するように規制するものとしてある。
【００２４】
本例にあって上記ガイドバー３３１はこれをブラケット３１１に設置した起立部１４の側面に突没する上記固定ネジ３１２を側方に延設した支軸に下端軸受３３１を介して軸支し，先端に膨出したストッパー３３２を備えたストレートのバー材によるものとし，スライダー３３４は可動カッター部３２の上方前面に固定した固定軸３３５に側方に突出するように設置した透孔を備えたプレート材乃至ブロック材によるものとし，スライダー３３４の透孔にガイドバー３３１を挿通することによってその案内と回動規制を行なうようにしてある。
【００２５】
また該可動カッター部３２のバネ３４による付勢は，カッター基部３１又はそのブラケット３１１，本例にあってはブラケット３１１と可動カッター部３２の上部との間にコイルバネを介設することによって行ってあり，このとき本例のバネ３４は，上記ブラケット３１１に螺装してカッター基部３１を起立部１４に固定した固定ネジ３１２を軸付の止めネジとすることによって該ブラケット３１１から側方に突出したその軸に形成したバネ受孔と可動カッター部３２の上方に設置した軸に形成した同じくバネ受孔にそれぞれ先端を固定することによって行なってある。
【００２６】
図中３６は本例のテープカッター３が備えた，上記可動カッター部３２の首振り回動を解除自在にロックするロック装置であり，本例にあって該ロック装置３５はカッター基部３１と可動カッター部３２間に設置して可動カッター部３２を非回動状態とすることによって，例えば剥離タブ２１を形成することなく通常のカッターのように接着テープ２の切断をも同時に可能とするようにしてあり，本例にあって該ロック装置３５はこれを上記回動規制装置に設置することによってスライダー３３４の移動を阻止して，そのロックを行うものとしてあり，本例にあって該ロック装置３５は上記スライダー３３４を係合してこれを案内する上記ガイドバー３３１に被嵌してその長手方向任意位置で停止自在とした合成ゴム等摩擦抵抗の大きなスライド部材によるものとしてあり，可動カッター部３２をカッター基部３１に近接復帰させた状態で，該スライド部材３６をスライダー３３４に突き当てるようにガイドバー３３１長手方向に移動することによってその首振り回動のロックを行い，またスライダー３３４から離すようにガイドバー３３１長手方向ブラケット３１１側に移動することによってロック解除を行なうようにしてある。
【００２７】
また図中３６は上記可動カッター部３２の仮着受部３２２近傍でテープ接着面側に剥離タブ２１の位置を表示するマーキング３６１を付与自在とするように，本例のテープカッター３に配置したマーキング付与装置であり，本例にあって該マーキング付与装置３６は，接着テープ２の接着面に，例えば社名，社章，「ここから剥がして下さい」といった文字，図形の表示，ラインやドットの表示等を，例えば適宜の色彩のインクによって行なうように，これをインク含浸のスタンパーによるものとしてあり，本例にあっては該スタンパー３７を可動カッター部３２の上記仮着受部３２２背面，即ち起立部１４側に，接着テープ２の切断時にこれに接触するように上向きに設置したものとしてある。
【００２８】
以上のように構成した本例のテープカッター３にあっては，可動カッター部３２が起立部１４に固定したカッター基部３１に対して首振り状の離隔回動と復帰近接を行なうように首振り回動するので，固定挟持部３１７，本例にあっては起立部１４の摺接面１４１と押えローラー３１３を通過した接着テープ２を可動カッター部３２の離隔回動状態で切断することによって，固定挟持部３１７の摺接面１４１と可動カッター部３２の仮着受部３２２に接着テープ２が仮接着してその間隔の長さに繰出すから，切断後に可動カッター部３２が付勢力によって起立部１４側に復帰近接することによって接着テープ２の接着面を押えた状態で上方に突出して先端ループ２１１を形成するに至る。従ってこの先端ループ２１１の部分を摘んで以後順次に接着テープ２を切断するようにすれば，例えば業務用に使用しても，スムーズ且つ効率的に接着テープ２の切断及び接着の繰り返し作業を行なうことができ，接着面に指先が接触することなく接着テープ２の切断が可能になるので，切断したテープの剥離タブ２１や接着面に指紋が残ったり，接着力が低下したりする可能性を解消するとともに先端ループ２１１部分の摘み切断を行うことによって該ループ２１１部分が押圧されてその接着面同士が接着して切断したテープの先端に剥離タブ２１が自動形成される。従ってこの剥離タブ２１が形成された接着テープ２による接着は，該剥離タブ２１を摘んで引き剥がすようにしてその剥離を行なうことが可能となり，接着テープ２の剥離を極めて容易になし得るものとなる。
【００２９】
また本例のテープカッター３は上記マーキング３６１の付与によって剥離タブ２１の存在と位置が一見して判明するから，透明の接着テープ２を用いた場合でも，容易にこれを判別でき，特に高齢者や弱視者を含めて接着テープ２の剥離を容易化することができる。
【００３０】
図６は上記マーキング３６１の付与に代えて，上記可動カッター部３２の仮着受部３２２近傍でテープ接着面側に剥離タブ２１位置を表示するラベル３７８を供給自在とした例を示すもので，本例にあって該ラベル３７８の供給は，ラベル供給装置３７をテープカッター３に追加的に設置してこれを行うものとしてあり，本例にあって該ラベル供給装置３７は上記表示を印刷した小ラベル３７８を長手方向に多数剥離自在に接着したラベルテープ３７７を回転自在に支持するテープ供給リール３７１と，該ラベルテープ３７７を巻取自在としたテープ巻取リール３７２と，接着テープ２の移動を検知してテープ巻取リール３７２を回転駆動するモーター３７３と，上記テープ供給リール３７１及びテープ巻取リール３７２間でラベルテープ３７７を方向転換するとともに可動カッター部３２の離隔回動によって繰出した接着テープ２の接着面側に移動して該接着面にラベル３７８を送り出し接着するローラー３７５とを備えたものとしてあり，本例にあってテープ供給リール３７１及びテープ巻取リール３７２を起立部１４の前面上下位置に，ローラー３７５を起立部１４前面上方位置にそれぞれ配置し，該ローラー３７５の接着面側への移動を，カッター基部３２のブラケット３２１に回動自在に軸支した両側のアーム３７４にローラー３７５を設置し，該アーム３７４を上記ガイドバー３３１の回動に連動して上下に回動することによって行うようにしてある。従って接着テープ２を引き出すとモーター３７３がテープ巻取リール３７２を回転駆動して，テープ供給リール３７１からラベルテープ３７７の巻取りを開始し，ガイドバー３３１の回動につれてローラー３７５が上方に移動し，該ローラー３７５を通過するラベルテープ３７７が方向転換することによってラベル３７８を直進方向に剥離するとともにこれを下から接着テープ２の接着面に押し当てるようにしてラベル３７８を接着テープ２に供給するようにしてあり，このとき接着テープ２は可動カッター部３２の離隔回動によって直線状に繰出した状態にあるから，該可動カッター部３２の復帰近接によって該ラベル３７８を巻き込んだ状態に接着テープ２が先端ループ２１１を形成し，これを摘んで接着テープ２を切断することによってラベル３７８は剥離タブ２１に接着挟持されることになる。また上記ガイドバー３３１の最大回動位置でモーター３７３を停止することによってラベルテープ３７７の巻取りとこれによる進行が停止し，所定ピッチのラベル３７８が各切断した接着テープ２毎に一枚づつ供給されるようにしてあり，これによって順次切断を繰り返すことにより各剥離タブ２１にラベル３７８を供給し得るようになるものとしてある。
【００３１】
本例にあってはラベル３７８を供給することによって，剥離タブ２１に上記マーキング３６１と同様にその存在と位置を表示することが可能となるとともに該ラベル３７８に適宜内容の印刷を施すことによって剥離タブ２１をＰＲその他の用途を兼用するようにすることも可能となる。
【００３２】
図示した例は以上のとおりとしたが，本発明の実施に当って，テープカッターを上記机上用等のテープホルダーにその一部をなすように一体的に配置するようにすること，接着テープの装着枠，固定挟持部及び可動カッター部を上下方向に配置して業務用スタンド式のテープカッターとして構成すること等を含めて，固定挟持部，可動カッター部，接着テープ，必要に応じて使用する送りローラー，回動規制装置，ロック装置，マーキング，ラベル，テープホルダー，カッター基部，ローラーブラケット等の各具体的材質，形状，構造，寸法，これらの関係，これらに対する付加等は上記発明の要旨に反しない限り様々の形態のものとすることができる。
【００３３】
本発明は以上のとおりに構成したから，請求項１に記載の発明は，テープを切断することによって剥離位置をなす剥離タブが自動的に形成されるようにしたテープカッターを提供することができるとともにスムーズ且つ効率的に接着テープの切断及び接着の繰り返し作業を行なうことができ，また接着面に指先が接触することなく接着テープの切断が可能になるので，切断したテープの剥離タブや接着面に指紋が残ったり，接着力が低下したりする可能性を解消することができる。
【００３４】
請求項２に記載の発明は，上記に加えて，上記固定挟持部に対してテープをスムーズに送り込むようにすることによってテープに生じることある捩れ等をトラブルを解消してテープの安定した繰出しと切断とをなし得るものとすることができる。
【００３５】
請求項３に記載の発明は，同じく上記に加えて，固定挟持部に対する可動カッター部の回動範囲を規制して剥離タブ形成に適した先端ループを形成可能とすることができる。
【００３６】
請求項４に記載の発明は，同じく上記に加えて，必要に応じて剥離タブを不形成のテープ切断を選択的になし得るものとすることができる。
【００３７】
請求項５に記載の発明は，自動的に形成した剥離タブの存在と位置が判明し易いようにしたテープカッターを提供することができる。
【００３８】
請求項６に記載の発明は，テープカッターを既存のテープホルダーに装着使用する後付用のものとして，同じくテープを切断することによって剥離位置をなす剥離タブが自動的に形成されるものとすることができる。
【００３９】
請求項７に記載の発明は，上記に加えて，簡易な構造によって，上記固定挟持部に対してテープをスムーズに送り込むように送りローラーを設置するとともにこれを用いて上記押えローラーをホルダー本体の摺接面に開閉するように回動自在とすることによってテープ装着時のテープ先端の挟持を容易化したものとすることができる。
【発明の効果】
【図面の簡単な説明】
【図１】テープホルダーにテープカッターを装着した状態を示す側面図である。
【図２】図１の部分拡大図である。
【図３】テープホルダーにテープカッターを装着した状態を示す正面図である。
【図４】接着テープを切断する状態を示す斜視図である。
【図５】接着テープを切断した状態を示す斜視図である。
【図６】剥離タブを備えたテープの斜視図である。
【図７】他の例を示すテープカッターの側面図である。
【符号の説明】
１  テープホルダー
１４  起立部
２  接着テープ
２１  剥離タブ
２１１  先端ループ
３  テープカッター
３１  カッター基部
３１３  押えローラー
３１５  送りローラー
３１７  固定挟持部
３２  可動カッター部
３２１  切断刃
３２２  仮着受部
３３  回動規制装置
３４  バネ
３６  マーキング付与装置
３７  ラベル供給装置
【図１】
2004284687.tif 000003
【図２】
2004284687.tif 000004
【図３】
2004284687.tif 000005
【図４】
2004284687.tif 000006
【図５】
2004284687.tif 000007
【図６】
2004284687.tif 000008
【図７】
2004284687.tif 000009